(57)【要約】【課題】外部機器への画像送信時において、好適な表示を可能とする電子機器を提供する。【解決手段】電子機器は、撮像データを生成する撮像部と、表示部と、外部機器（外部表示装置又は外部表示装置に接続した情報処理装置）に、生成された撮像データに基づく画像データを送信可能な通信部と、表示部を制御する制御部とを備える。制御部は、外部機器へ送信した場合に第１の遅延が生じ得る第１の画像データを外部機器に送信するときは、撮像データに基づく画像であって第１の画像データに対応する画像を表示部に表示させる。制御部は、外部機器へ送信した場合に第１の遅延よりも大きい第２の遅延が生じ得る第２の画像データを、外部機器に送信するときは、第２の画像データに対応する画像以外の画像を表示部に表示させる。【選択図】図３
2014064270.tif 000002
【特許請求の範囲】
【請求項１】
外部表示装置および前記外部表示装置に接続した情報処理装置のうちのいずれか一方の機器である外部機器に対して画像データを送信可能な電子機器であって、
撮像データを生成する撮像部と、
表示部と、
前記外部機器に、前記生成された撮像データに基づく画像データを送信可能な通信部と、
前記表示部を制御する制御部と、を備え、
前記制御部は、前記外部機器へ送信した場合に第１の遅延が生じ得る第１の画像データを前記外部機器に送信するときは、前記撮像データに基づく画像であって前記第１の画像データに対応する画像を前記表示部に表示させ、
前記外部機器へ送信した場合に前記第１の遅延よりも大きい第２の遅延が生じ得る第２の画像データを前記外部機器に送信するときは、前記第２の画像データに対応する画像以外の画像を前記表示部に表示させる、
電子機器。
【請求項２】
前記外部表示装置は、前記電子機器から画像を受信すると、当該受信した画像を表示する、請求項１に記載の電子機器。
【請求項３】
前記第２の画像以外の画像は、前記外部表示装置を遠隔操作するための操作ボタンを含む画像である、請求項１に記載の電子機器。
【請求項４】
前記第１の画像は、第１の解像度を有する画像であり、前記第２の画像は、前記第１の解像度よりも高い解像度を有する画像である、請求項１に記載の電子機器。
【請求項５】
前記第２の画像は、所定の記録媒体から読み出されて再生される画像である、請求項１に記載の電子機器。
【請求項６】
画像データを、外部表示装置及び前記外部表示装置に接続した情報処理装置のうちのいずれか一方の機器である外部機器に送信可能な電子機器であって、
撮像データを生成する撮像部と、
表示部と、
前記外部機器に、前記生成された撮像データに基づく画像データを送信可能な通信部と、
前記表示部を制御する制御部と、を備え、
前記制御部は、前記撮像部により生成された撮像データに基づく画像データを記録するためのモードである撮影モードと、所定の記録媒体に記録された画像データを再生する再生モードとを有し、
前記制御部は、
前記撮影モードにおいて、前記撮像部により生成された撮像データに基づく画像を前記通信部を介して前記外部機器に送信するとともに、前記表示部において前記撮像部により生成された撮像データに基づく画像を表示させ、
前記再生モードにおいて、前記所定の記録媒体に記録された画像データを前記通信部を介して前記外部機器に送信するとともに、前記表示部において所定の記録媒体に記録された画像データに基づく画像を表示させない、
電子機器。
【発明の詳細な説明】
【技術分野】
【０００１】
本開示は、画像送信が可能な電子機器に関する。
【背景技術】
【０００２】
近年、通信機能を搭載した電子機器が普及してきている。通信機能を備えたことにより、画像データ等のデータを他の電子機器に対して送信することができる。例えば、特許文献１に記載の機器が知られている。
【先行技術文献】
【特許文献】
【０００３】
【特許文献１】特開２００２−３５４３２９号公報
【発明の概要】
【発明が解決しようとする課題】
【０００４】
画像データを送信する相手方の機器の一つとして表示装置が考えられる。表示装置は、受信した画像データを自身のディスプレイに表示させることができる。ディスプレイのサイズが大きくなればなるほど、より多くの人が同時に受信画像を鑑賞することができる。このとき、より鑑賞しやすい表示を行なうことが望まれる。
【０００５】
本開示は、外部機器への画像送信時において、好適な表示を可能とする電子機器を提供する。
【課題を解決するための手段】
【０００６】
本開示に係る第１の電子機器は、外部表示装置及び外部表示装置に接続した情報処理装置のうちのいずれか一方の機器である外部機器に対して、画像データを送信可能な電子機器である。電子機器は、撮像データを生成する撮像部と、表示部と、外部機器に、生成された撮像データに基づく画像データを送信可能な通信部と、表示部を制御する制御部と、を備える。制御部は、外部機器へ送信した場合に第１の遅延が生じ得る第１の画像データを外部機器に送信するときは、撮像データに基づく画像であって第１の画像データに対応する画像を表示部に表示させる。制御部は、外部機器へ送信した場合に第１の遅延よりも大きい第２の遅延が生じ得る第２の画像データを、外部機器に送信するときは、第２の画像データに対応する画像以外の画像を表示部に表示させる。
【０００７】
本開示に係る第２の電子機器は、画像データを、外部表示装置及び外部表示装置に接続した情報処理装置のうちのいずれか一方の機器である外部機器に送信可能な電子機器である。電子機器は、撮像データを生成する撮像部と、表示部と、外部機器に、生成された撮像データに基づく画像データを送信可能な通信部と、表示部を制御する制御部と、を備える。制御部は、撮像部により生成された撮像データに基づく画像データを記録するためのモードである撮影モードと、所定の記録媒体に記録された画像データを再生する再生モードとを有する。制御部は、撮影モードにおいて、撮像部により生成された撮像データに基づく画像を通信部を介して外部機器に送信するとともに、表示部において撮像部により生成された撮像データに基づく画像を表示させる。制御部は、再生モードにおいて、所定の記録媒体に記録された画像データを前記通信部を介して外部機器に送信するとともに、表示部において所定の記録媒体に記録された画像データに基づく画像を表示させない。
【発明の効果】
【０００８】
本開示によれば、外部機器への画像送信時において、好適な表示を可能とする電子機器を提供する。
【図面の簡単な説明】
【０００９】
【図１】デジタルビデオカメラとディスプレイ装置とを含むシステムの構成を示す図
【図２】（Ａ）デジタルビデオカメラの正面図、（Ｂ）デジタルビデオカメラの背面図
【図３】デジタルビデオカメラの構成を示すブロック図
【図４】ディスプレイ装置の構成を示すブロック図
【図５】デジタルビデオカメラにおける、転送動画の画質に応じて切り替えられる表示動作を示すフローチャート
【図６】デジタルビデオカメラに表示されるボタンアイコンを説明した図
【図７】デジタルビデオカメラにおいて、転送動画の画質に応じて切り替えて表示される表示画面を説明した図
【図８】動画を転送しているときに静止画記録指示がなされた場合の表示動作のフローを説明した図
【図９】動画を転送しているときに静止画記録指示がなされた場合の表示画面の切替えを説明した図
【図１０】デジタルビデオカメラに表示される表示画面の上下反転処理を説明した図
【図１１】デジタルビデオカメラに表示される消去ボタンを説明した図
【図１２】デジタルビデオカメラに表示されるセットアップメニューを説明した図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１１】
（本発明に至った経緯）
一般的に、デジタルビデオカメラから送信された画像を外部のディスプレイ装置にて表示するシステムにおいては、デジタルビデオカメラが、外部のディスプレイ装置に対して、より高画質なＨＤ画質の画像をリアルタイムに伝送することが望まれる。しかしながら、デジタルビデオカメラの画像処理能力が低い場合、ＨＤ画質の画像を処理することに時間がかかる。例えば、ＨＤ画質の画像をディスプレイ装置に伝送するために、デジタルビデオカメラは、ディスプレイ装置と通信するためのネゴシエーションや、ディスプレイ装置にて円滑に画像を再生するために必要な最小限のデータ量を確保するためのバッファリング処理に時間を費やす。また、ＨＤ画質の画像は、ＶＧＡ画質の画像よりもビットレートが高いため、同一の伝送路の帯域幅で伝送した場合、相対的により多くの転送時間がかかってしまう。このため、ＨＤ画質の画像の転送においては、デジタルビデオカメラに表示されるスルー画像と、ディスプレイ装置に表示される受信画像との間で大きな遅延（表示タイミングのずれ）が発生してしまう。
【００１２】
本発明者は、このような遅延の課題を、試作実験などを通して発見し、より鑑賞しやすい表示を行うという課題を認識するに至った。以下、このような課題を解決する、本実施形態のデジタルビデオカメラ１およびディスプレイ装置の構成および動作について説明する。
【００１３】
なお、以下の実施の形態では、比較的低画質であるが低遅延の画質としてＶＧＡ画質を、比較的高画質であるが高遅延の画質としてＨＤ画質を例示するが、本開示の技術思想はこれらに限定されるものではない。すなわち、比較的低画質であるが低遅延の第１の画質と、比較的高画質であるが高遅延の第２の画質とを処理可能な電子機器であれば、本開示の技術思想を適用することができる。
【００１４】
〔実施の形態１〕
〔１．構成〕
図１は、実施の形態１にかかるデジタルビデオカメラ１００とディスプレイ装置２００で構成される表示システムを説明した図である。デジタルビデオカメラ１００は、動画像や静止画像を撮像し、ディスプレイ装置２００に送信（ライブ配信）することができる。ディスプレイ装置２００は、デジタルビデオカメラ１００から受信した動画像や静止画像を液晶ディスプレイ２１５に表示することができる。
【００１５】
デジタルビデオカメラ１００が送信する動画像や静止画像の画質として、ＶＧＡ（Ｖｉｄｅｏ  Ｇｒａｐｈｉｃｓ  Ａｒｒａｙ）画質や、ＨＤ（Ｈｉｇｈ  Ｄｉｆｉｎｉｔｉｏｎ）画質がある。ＨＤ画質の動画像又は静止画像は、ＶＧＡ画質の動画像又は静止画像よりも高画質である。
【００１６】
実施の形態１のデジタルビデオカメラ１００とディスプレイ装置２００で構成される表示システムは例えば教育現場での使用が想定される。例えば、学校の先生がデジタルビデオカメラ１００で被写体（教材）を撮像し、その撮像した画像（動画または静止画）をディスプレイ装置２００に送信（ライブ配信）する。ディスプレイ装置２００は、デジタルビデオカメラ１００から受信した画像を表示する。これにより、先生と複数の生徒の間で画像を共有できる。すなわち、先生は、手元のデジタルビデオカメラ１００の液晶ディスプレイ１２３に表示されたスルー画像を参照しながら説明でき、複数の生徒は、ディスプレイ装置２００に表示された画像を閲覧しながら先生の説明を聞くことができる。この場合に、デジタルビデオカメラ１００の液晶ディスプレイ１２３に表示されたスルー画像と、ディスプレイ装置２００に表示された画像との間に遅延（表示タイミングのずれ）があると、先生の説明と、生徒が閲覧するディスプレイ装置２００に表示された画像との間に齟齬が生じる。このため、適切な授業が行えずに混乱を招いてしまう。以下に説明する本実施形態の表示システムでは、このような混乱を招かないよう工夫がなされている。
【００１７】
以下、図面を用いてデジタルビデオカメラ１００およびディスプレイ装置２００それぞれの構成を説明する。
【００１８】
〔１−１．デジタルビデオカメラの構成〕
図２は、本実施形態の表示システムにおけるデジタルビデオカメラ１００の外観を示した図である。図２（ａ）はデジタルビデオカメラ１００の正面図であり、図２（ｂ）はデジタルビデオカメラ１００の背面図である。図２（ａ）に示すように、デジタルビデオカメラ１００は、その正面に、液晶ディスプレイ１２３と、タッチパネル１７３と、各種ボタン１５１〜１５３と、電源スイッチ１５５とが設けられている。また、デジタルビデオカメラ１００は、その背面に、画像を撮影するために設けられた開口部１１５と、音声を収音するためのマイク１６０とが設けられている。開口部１１５の中には光学系が収納される。また、デジタルビデオカメラ１００は使用者が把持するためのグリップ部１９０を有している。
【００１９】
図３は、デジタルビデオカメラ１００の構成を示すブロック図である。デジタルビデオカメラ１００は、光学系１１０を介して形成された被写体像をＣＭＯＳイメージセンサ１２０で撮像する。ＣＭＯＳイメージセンサ１２０は、撮像した被写体像に基づく画像データを生成する。撮像により生成された画像データはＡＦＥ（ＡＦＥ：Ａｎａｌｏｇ  Ｆｒｏｎｔ  Ｅｎｄ）１２１や画像処理部１２２において各種処理を施される。画像データはフラッシュメモリ１４２やメモリカード１４０に記憶される。フラッシュメモリ１４２やメモリカード１４０に記憶された画像データは、ユーザによる操作部１５０の操作を受け付けて液晶ディスプレイ１２３に表示される。また、ＣＭＯＳイメージセンサ１２０で撮像され、画像処理部１２２により処理された画像データが、スルー画像として液晶ディスプレイ１２３に表示される。
【００２０】
光学系１１０は、フォーカスレンズ、ズームレンズ、光学式手ぶれ補正レンズＯＩＳ（Ｏｐｔｉｃａｌ  Ｉｍａｇｅ  Ｓｔａｂｉｌｉｚｅｒ）などのレンズを含む。光学系１１０を構成する各種レンズは何枚から構成されるものでも、何群から構成されるものでもよい。
【００２１】
ＣＭＯＳイメージセンサ１２０は、光学系１１０を通して形成された被写体像を撮像して撮像データを生成する。ＣＭＯＳイメージセンサ１２０は、所定のフレームレート（例えば、３０フレーム／秒）で新しいフレームの撮像データを生成する。ＣＭＯＳイメージセンサ１２０の撮像データ生成タイミングおよび電子シャッタ動作は、コントローラ１３０によって制御される。ＣＭＯＳイメージセンサに代えて、例えばＣＣＤイメージセンサやＮＭＯＳイメージセンサなど、他の撮像素子を用いても良い。
【００２２】
ＡＦＥ１２１は、ＣＭＯＳイメージセンサ１２０で生成された撮像データに対して、相関二重サンプリング等の処理を実行する。また、アナログ形式の撮像データからデジタル形式の撮像データへの変換を施す。その後、ＡＦＥ１２１は画像データを画像処理部１２２に出力する。
【００２３】
画像処理部１２２は、撮像データに対して各種の処理を施す。各種処理としては、ガンマ補正、ホワイトバランス補正、ＹＣ変換処理、電子ズーム処理、圧縮処理、伸張処理等が挙げられるが、これらに限定されるものではない。画像処理部１２２は、各種の処理を施すことにより、撮像データから画像データを生成する。
【００２４】
画像処理部１２２は、設定された画質パラメータに基づいて、撮像データから画像データを生成する。設定された画質パラメータがＶＧＡ画質を示す場合、画像処理部１２２は、その画質パラメータに基づいて、撮像データからＶＧＡ画質の画像データを生成する。設定された画質パラメータがＨＤ画質を示す場合、画像処理部１２２は、その画質パラメータに基づいて、撮像データからＨＤ画質の画像データを生成する。画像処理部１２２は、ハードワイヤードな電子回路で構成してもよいし、これらの処理を行うためのプログラムを実行するマイクロコンピュータ等で構成してもよい。また、画像処理部１２２は、コントローラ１３０等と共に１つの集積回路として構成されてもよい。
【００２５】
液晶ディスプレイ１２３は、画像処理部１２２にて処理された画像データ（動画像データ或いは静止画像データ）に基づく画像を表示する。液晶ディスプレイ１２３が表示する画像には、スルー画像や記録画像がある。液晶ディスプレイ１２３は、ＣＭＯＳイメージセンサ１２０により逐次生成される撮像画像に対して、画像処理部１２２によりＶＧＡ画質の動画像データとして処理されるデータを、スルー画像としてリアルタイムに表示する。ユーザは、液晶ディスプレイ１２３に表示されるスルー画像を参照することにより、被写体の構図を確認しながら撮影できる。
【００２６】
記録画像は、メモリカード１４０やフラッシュメモリ１４２に記録された画像データ（動画像データ或いは静止画像データ）が示す画像である。液晶ディスプレイ１２３は、画像データが示す画像の他に、デジタルビデオカメラ１００の設定値を変更するための画面や、通信部１７１を介して通信状態にあるディスプレイ装置２００の表示内容を操作するための操作画面などを表示することができる。液晶ディスプレイに替えて、有機ＥＬディスプレイなど他の種類のディスプレイ装置も使用可能である。
【００２７】
タッチパネル１７３は、液晶ディスプレイ１２３の表面に設けられており、ユーザがタッチしたタッチパネル上の電極位置に関する情報を出力する。
【００２８】
検出処理部１７７は、タッチパネル１７３が出力する電極位置に関する情報に基づいて、ユーザがタッチしたタッチパネル上の位置座標を算出してコントローラ１３０に出力する。これにより、コントローラ１３０は、ユーザがタッチ操作しているタッチパネル１７３上の位置を把握することができる。
【００２９】
コントローラ１３０は、デジタルビデオカメラ１００全体の動作を統括制御する。コントローラ１３０は、垂直同期信号（ＶＤ）に基づいて、ＣＭＯＳイメージセンサ１２０や、画像処理部１２２などに制御信号を送信する。コントローラ１３０は、プログラム等の情報を格納するＲＯＭ及びプログラムを実行するＣＰＵ等により構成される。ＲＯＭは、オートフォーカス制御やオート露出制御に関するプログラムの他、デジタルビデオカメラ１００全体の動作を統括制御するためのプログラムを格納している。
【００３０】
コントローラ１３０は、検出処理部１７７が出力する位置座標値から、液晶ディスプレイ１２３に表示されている撮影フレーム内の、ユーザがタッチした位置を認識し、そのタッチ位置に基づきユーザ操作を認識し、その操作に応じた処理を行う。例えば、液晶ディスプレイ１２３が、デジタルビデオカメラ１００の設定値を変更するための画面や、通信部１７１を介して通信状態にあるディスプレイ装置２００の表示内容を操作するための操作画面を表示している場合、コントローラ１３０は、タッチされた位置に対応する設定や操作が実行されるように処理する。或いは、コントローラ１３０は、液晶ディスプレイ１２３がスルー画像を表示しているとき、タッチされた位置に対応する画像領域に対してフォーカスを合わせた後、静止画像の記録指示を実行するよう処理する。
【００３１】
コントローラ１３０は、ハードワイヤードな電子回路で構成してもよいし、マイクロコンピュータなどで構成してもよい。また、コントローラ１３０は、画像処理部１２２などと共に１つの集積回路として構成されてもよい。
【００３２】
バッファメモリ１２４は、画像処理部１２２やコントローラ１３０のワークメモリとして機能する記憶手段である。バッファメモリ１２４はＤＲＡＭ（Ｄｙｎａｍｉｃ  Ｒａｎｄｏｍ  Ａｃｃｅｓｓ  Ｍｅｍｏｒｙ）などで実現できる。
【００３３】
フラッシュメモリ１４２は、画像データ等を記憶するための内部メモリとして機能する。コントローラ１３０は、画像処理部１２２で処理される画像データをフラッシュメモリ１４２あるいはメモリカード１４０に記憶する。
【００３４】
カードスロット１４１は、メモリカード１４０を装着可能な接続手段である。カードスロット１４１は、メモリカード１４０を電気的及び機械的に接続可能である。
【００３５】
メモリカード１４０は、内部にフラッシュメモリ等の記憶部を備えた外部メモリである。メモリカード１４０は、画像処理部１２２で処理される画像データなどのデータを記憶可能である。本実施の形態では、外部メモリの一例としてメモリカード１４０を示すが、光ディスク、ＨＤＤ等の記憶媒体を外部メモリとしてもよい。
【００３６】
通信部１７１は、無線または有線の通信インターフェースであり、コントローラ１３０はこの通信部１７１を制御して、ディスプレイ装置２００など、通信機能を備えた他の電子機器と通信を行なうことができる。通信部１７１は、ＵＳＢ、Ｂｌｕｅｔｏｏｔｈ（登録商標）、無線ＬＡＮ、有線ＬＡＮ等の規格に従った通信を行う。
【００３７】
操作部１５０は、デジタルビデオカメラ１００の外装に備わっている操作釦や操作レバーの総称であり、使用者による操作を受け付ける。操作部１５０は使用者による操作を受け付けると、コントローラ１３０に種々の動作指示信号を通知する。操作部１５０は、例えば、釦１５１〜１５３を含む。
【００３８】
〔１−２．ディスプレイ装置の構成〕
ディスプレイ装置２００の構成について図４を用いて説明する。図４は、ディスプレイ装置２００の構成を示すブロック図である。
【００３９】
ディスプレイ装置２００は、通信部２１１、コントローラ２１２、ワークメモリ２１３、ＨＤＤ２１４、液晶ディスプレイ２１５、操作部２１６、フラッシュメモリ２１７などを備えている。
【００４０】
コントローラ２１２は、ディスプレイ装置２００全体の動作を制御する。コントローラ２１２は、通信部２１１、ワークメモリ２１３、ＨＤＤ２１４、液晶ディスプレイ２１５、フラッシュメモリ２１５、及び操作部２１６に電気的に接続されている。コントローラ２１２は、操作部２１６を用いての使用者の操作情報を受け付ける。コントローラ２１２は、ＨＤＤ２１４やフラッシュメモリ２１７に格納されている情報を読み出すことができる。
【００４１】
ワークメモリ２１３は、コントローラ２１２が各種処理動作を実行するために必要な情報を一時的に格納するメモリである。
【００４２】
ＨＤＤ２１４は、各種データを格納する大容量のディスクドライブである。上述したように、ＨＤＤ２１４に格納された各種データ（画像データなど）は、適宜コントローラ２１２により読み出し可能である。
【００４３】
通信部２１１は、無線または有線の通信インターフェースであり、コントローラ２１２はこの通信部２１１を介して、デジタルビデオカメラ１００と通信することができる。例えば、ＵＳＢやＢｌｕｅｔｏｏｔｈ（登録商標）、無線ＬＡＮ、有線ＬＡＮ等の規格に従った通信を行う。
【００４４】
液晶ディスプレイ２１５は、デジタルビデオカメラ１００から受信した動画像データ又は静止画像データに基づく画像を表示する。ユーザは、液晶ディスプレイ２１５に表示される画像を参照することにより、デジタルビデオカメラ１００から送信されている動画像データ又は静止画像データに基づく画像の内容を確認することができる。液晶ディスプレイに替えて、有機ＥＬディスプレイなど他の種類のディスプレイ装置も使用可能である。
【００４５】
本実施形態では、デジタルビデオカメラ１００の画像転送先として、ディスプレイ装置２００を例示するが、これに限定されない。例えば、プロジェクタ装置など、デジタルビデオカメラ１００の画像を投影する装置であってもよい。更には、画像転送先は、ストレージ装置など、デジタルビデオカメラ１００の画像を保存する装置であってもよい。
【００４６】
また、デジタルビデオカメラ１００と、ディスプレイ装置、プロジェクタ装置、ストレージ装置、情報処理装置とは、直接通信状態を確立するようにしてもよいし、中継機器を介して通信状態を確立するようにしてもよい。なお、中継機器を介して通信する場合、デジタルビデオカメラ１００の転送先の機器の要求する仕様に応じて、中継機器が転送画像に対して処理を行なうようにしてもよい。中継機器は、例えば、パーソナルコンピュータのような情報処理装置であってもよい。すなわち、デジタルビデオカメラ１００は、パーソナルコンピュータのような情報処理装置と通信を確立し、その情報処理装置を介して画像データをディスプレイ装置等に送信してもよい。
【００４７】
ディスプレイ装置２００は外部表示装置の一例である。パーソナルコンピュータは情報処理装置の一例である。デジタルビデオカメラ１００は電子機器の一例である。ＣＭＯＳイメージセンサ１２０は撮像部の一例である。メモリカード１４０は記録媒体の一例である。カードスロット１４１及びコントローラ１３０は記録部の一例である。液晶ディスプレイ１２３は表示部の一例である。操作部１５０及びタッチパネル１７３は操作部の一例である。コントローラ１３０は制御部の一例である。ＶＧＡ画質の画像は、外部機器への送信により第１の遅延が生じ得る第１の画像の一例である。ＨＤ画質の画像は、外部機器へ送信した場合に第１の遅延よりも大きい第２の遅延が発生する第２の画像の一例である。
【００４８】
〔２．動作〕
デジタルビデオカメラ１００および、ディスプレイ装置２００の動作について説明する。
【００４９】
デジタルビデオカメラ１００およびディスプレイ装置２００は、それぞれ通信機能を有している。デジタルビデオカメラ１００とディスプレイ装置２００の通信状態の確立は、通信部１７１および通信部２１１がともに対応する通信規格（例えば、無線ＬＡＮのＷｉ−Ｆｉ（登録商標））に応じた手順でなされる。デジタルビデオカメラ１００とディスプレイ装置２００との通信状態が確立しているとき、デジタルビデオカメラ１００は、ディスプレイ装置２００に対して、動画像データや静止画像データを転送することができる。
【００５０】
デジタルビデオカメラ１００は、撮影モードと再生モードとを有している。撮影モードでは、デジタルビデオカメラ１００は、被写体の撮影を行い、液晶ディスプレイ１２３に撮像画像に基づくスルー画像を表示する。また、撮影モードにおいて、デジタルビデオカメラ１００のコントローラ１３０は、タッチパネル１７３に対するタッチ操作や、釦１５１等の操作などにより動画像記録指示や、静止画像記録指示を受け付ける。一方、再生モードでは、デジタルビデオカメラ１００は、メモリカード１４０に記録された画像データを読み出し、液晶ディスプレイ１２３に表示する。
【００５１】
撮影モードにおいて、ディスプレイ装置２００と通信状態が確立されていて、且つ、ディスプレイ装置２００への画像転送が許可されている場合、画像処理部１２２は、ＶＧＡ画質の画質パラメータを設定し、ＶＧＡ画質の動画像データを生成する。このとき、画像処理部１２２は、撮像データから、液晶ディスプレイ１２３に表示するためのスルー画像と、ＶＧＡ画質の動画像データとを生成する。コントローラ１３０は、生成されたスルー画像を、液晶ディスプレイ１２３に表示させる。同時に、コントローラ１３０は、通信部１７１を制御して、生成されたＶＧＡ画質の動画像データを、ディスプレイ装置２００に転送する。
【００５２】
また、撮影モードにおいて、より高精細な画像をディスプレイ装置２００に転送する指示がなされた場合、画像処理部１２２は、ＨＤ画質の画質パラメータを設定して、ディスプレイ装置２００への伝送用画像としてＨＤ画質の動画像データを生成する。より高精細な画像をディスプレイ装置２００に転送する指示は、例えば、ディスプレイ装置２００の鑑賞者がより詳細に画像を観察したいようなときに、使用者によりなされる。この指示は、操作部１５０の操作や、タッチパネル１７３の操作により与えられる。コントローラ１３０は、通信部１７１を制御して、生成されたＨＤ画質の動画像データを、ディスプレイ装置２００に転送する。
【００５３】
一方、再生モードにおいて、画像処理部１２２が、メモリカード１４０に記録された動画像データを読み出し、コントローラ１３０は、読み出した動画像データを、ディスプレイ装置２００に転送する。
【００５４】
〔２．１  モードに応じた表示〕
デジタルビデオカメラ１００の液晶ディスプレイ１２３に表示される画像は、ディスプレイ装置２００に転送する画像の遅延の程度に応じて変更される。具体的には、画像をデジタルビデオカメラ１００からディスプレイ装置２００に転送する場合に、その転送に起因して発生する遅延の程度に応じて、デジタルビデオカメラ１００の液晶ディスプレイ１２３に表示される画像を切り替える。ここで、遅延とは、デジタルビデオカメラ１００の液晶ディスプレイ１２３に表示される画像と、ディスプレイ装置２００で表示される画像との時間的なずれ（すなわち、表示タイミングのずれ）である。
【００５５】
以下、図５〜図７を用いて、動作ステップを順に説明する。図５は、デジタルビデオカメラ１００における、転送動画の画質に応じて変更される液晶ディスプレイ１２３上での表示動作を示すフローチャートである。
【００５６】
最初デジタルビデオカメラ１００が撮影モードになっているものとして、表示動作を説明する。デジタルビデオカメラ１００が撮影モードになっているとき、デジタルビデオカメラ１００のコントローラ１３０は、図６（Ａ）に示すように、液晶ディスプレイ１２３にスルー画像５１を表示させる（Ｓ３００）。続いて、デジタルビデオカメラ１００のコントローラ１３０は、撮影モードから再生モードへと切り替えられたか否かを検知する（Ｓ３０１）。再生モードに切り替えられない限り（Ｓ３０１におけるＮｏ）、デジタルビデオカメラ１００のコントローラ１３０は、液晶ディスプレイ１２３にスルー画像を表示させ続ける。なお、撮影モードから再生モードへの切り替えは、図７に示すような、液晶ディスプレイ１２３上にスルー画像に重ねて表示された釦アイコン１５８に使用者がタッチすることにより行われる。
【００５７】
再生モードへと切り替えられると（Ｓ３０１におけるＹｅｓ）、デジタルビデオカメラ１００のコントローラ１３０は、液晶ディスプレイ１２３に図６（Ｂ）に示すような、ディスプレイ装置２００の操作を行う操作釦を含む操作画面５５を表示させる（Ｓ３０２）。そして、デジタルビデオカメラ１００のコントローラ１３０は、再生モードから撮影モードへと切り替えられたか否かを検知する（Ｓ３０３）。撮影モードに切り替えられない限り（Ｓ３０３におけるＮｏ）、デジタルビデオカメラ１００のコントローラ１３０は、液晶ディスプレイ１２３に操作画面５５を表示させる。撮影モードへと切り替えられたとき（Ｓ３０３におけるＹｅｓ）、デジタルビデオカメラ１００のコントローラ１３０は、液晶ディスプレイ１２３に再びスルー画像５１を表示させる（Ｓ３００）。以下、デジタルビデオカメラ１００は、ステップＳ３００からステップＳ３０３の動作を繰り返す。
【００５８】
以上のように、本実施形態では、撮影モードのときは、図６（Ａ）に示すように、デジタルビデオカメラ１００の液晶ディスプレイ１２３にスルー画像５１を表示し（ステップＳ３００）、再生モードのときは、図６（Ｂ）に示すように、デジタルビデオカメラ１００の液晶ディスプレイ１２３に操作画面５５を表示する（ステップＳ３０２）。以下、このように液晶ディスプレイ１２３の表示を切り替える理由を説明する。
【００５９】
図６（Ａ）は、撮影モードのときの、デジタルビデオカメラ１００の液晶ディスプレイ１２３と、ディスプレイ装置２００の液晶ディスプレイ２１５とのそれぞれに表示される画面の例を示している。図６（Ｂ）は、再生モードのときの、デジタルビデオカメラ１００の液晶ディスプレイ１２３と、ディスプレイ装置２００の液晶ディスプレイ２１５とのそれぞれに表示される画面の例を示している。
【００６０】
本実施形態では、撮影モードにおいては、デジタルビデオカメラ１００からディスプレイ装置２００へは、ＶＧＡ画質のスルー画像が転送される。このため、撮影モードのときは、デジタルビデオカメラ１００の液晶ディスプレイ１２３に表示されるスルー画像の表示タイミングと、ディスプレイ装置２００の液晶ディスプレイ２１５に表示される画像の表示タイミングとの差異（転送遅延に起因する差異）は比較的少ない。このため、図６（Ａ）に示すように、スルー画像５１をそのまま液晶ディスプレイ１２３に表示させている。これにより、使用者は、デジタルビデオカメラ１００からディスプレイ装置２００に転送中の動画像を、デジタルビデオカメラ１００の液晶ディスプレイ１２３と、ディスプレイ装置２００の液晶ディスプレイ２１５の両者で確認することができる。
【００６１】
一方、メモリカード１４０にはＨＤ画質で動画像が記録されており、再生モードにおいては、デジタルビデオカメラ１００からディスプレイ装置２００へは、ＨＤ画質の画像が転送される。よって、再生モードのときに、デジタルビデオカメラ１００の液晶ディスプレイ１２３に再生画像を表示した場合、その再生画像の表示タイミングと、ディスプレイ装置２００の液晶ディスプレイ２１５に表示される再生画像の表示タイミングの差異（転送遅延に起因する差異）が比較的大きいと考えられる。よって、デジタルビデオカメラ１００の液晶ディスプレイ１２３に再生画像をそのまま表示すると、デジタルビデオカメラ１００の使用者と、ディスプレイ装置２００の鑑賞者とは、それぞれ異なるタイミングの動画を見ることになってしまう。
【００６２】
そのため、デジタルビデオカメラ１００の使用者と、ディスプレイ装置２００の鑑賞者とで、注目する画像の内容にズレが生じる恐れがあり、議論がかみ合わない恐れが生じ得る。特に、デジタルビデオカメラ１００の使用者と、ディスプレイ装置２００の鑑賞者とが、同じ部屋（例えば、学校の教室）にいる場合は、この問題が顕著になる。このような問題を考慮して、再生モードのときは、デジタルビデオカメラ１００の液晶ディスプレイ１２３には、図６（Ｂ）に示すように、操作画面５５を表示させる。これにより、ディスプレイ装置２００のみに撮影画像が表示される。よって、デジタルビデオカメラ１００の使用者の視線を、鑑賞者の視線と同様に、ディスプレイ装置２００に表示される画像に向けることができ、使用者と鑑賞者が同じ画像を見ながら議論することが可能となる。
【００６３】
なお、ディスプレイ装置２００のみに撮影画像を表示させる目的では、デジタルビデオカメラ１００の液晶ディスプレイ１２３に何も表示しないようにしてもよい。但し、操作画面を表示させることにより、ディスプレイ装置２００に表示させる動画像の制御（一時停止、３０秒振り戻しなど）を、デジタルビデオカメラ１００側にて実施することが可能となる。これにより、使用者の操作における利便性を向上できるとともに、鑑賞者はより快適に動画像鑑賞を楽しむことができる。
【００６４】
〔２．２  ディスプレイ装置へ送信する画像の切替動作〕
デジタルビデオカメラ１００は、撮影モードにおいて、液晶ディスプレイ１２３に動画像を表示させているときに、より高精細な画像をディスプレイ装置２００に転送させるための指示を使用者から受け付けることができる。使用者は、例えば、タッチパネル１７３に対するタッチ操作や、操作部１５０の操作により、当該指示を与えることができる。より高精細な画像をディスプレイ装置２００に転送させるための指示には、例えば、動画を構成する複数フレームのうちの１フレームからなる静止画を表示させるための指示が含まれる。
【００６５】
デジタルビデオカメラ１００のコントローラ１３０は、当該指示を受け付けると、ＶＧＡ画質の動画像転送から、より高精細なＨＤ画質の動画像転送へと切り替える。但し、より高精細な画像をディスプレイ装置２００へ転送するために、フレームレートを低下させる。例えば、転送する動画像の画質をＶＧＡ画質からＨＤ画質へ切り替える場合、フレームレートを３０ｆｐｓから１ｆｐｓへ切り替える。
【００６６】
鑑賞者は、動画像のフレームレートが相対的に高いときは、画質の低さは比較的気にならないが、フレームレートが相対的に低くなり静止画像に極めて近いときは、画質の低さが比較的気になる。そのため、デジタルビデオカメラ１００は、ＶＧＡ画質の動画像をディスプレイ装置２００に転送している場合であっても、使用者により静止画の表示の指示があったときは、より高精細な静止画像の鑑賞が可能なように、ＨＤ画質の動画像を転送する。以下、液晶ディスプレイ１２３にスルー画像を表示させているときに、より高精細な画像をディスプレイ装置２００に転送する使用者からの指示を受け付けた場合の、デジタルビデオカメラ１００およびディスプレイ装置２００の動作について、図８および図９を用いて説明する。
【００６７】
図８は、より低精細な画像をディスプレイ装置２００に転送中に、より高精細な画像をディスプレイ装置２００に転送するための指示が使用者によりなされた場合の表示の動作を示すフローチャートである。図９は、より高精細な画像をディスプレイ装置２００に転送するよう、使用者からの指示がなされた場合のディスプレイ装置２００における画像の表示の変化を示す図である。
【００６８】
最初、デジタルビデオカメラ１００のコントローラ１３０は、ＶＧＡ画質、３０ｆｐｓの動画像データを、ディスプレイ装置２００に転送しているとする（Ｓ４００：図９（Ａ）参照）。ディスプレイ装置２００は、デジタルビデオカメラ１００からＶＧＡ画質、３０ｆｐｓの動画像データを受信すると、液晶ディスプレイ２１５に、ＶＧＡ画質、３０ｆｐｓの動画像データが示す動画像を表示する（Ｓ４０１：図９（Ａ）参照）。
【００６９】
デジタルビデオカメラ１００のコントローラ１３０は、ＶＧＡ画質、３０ｆｐｓの動画像データをディスプレイ装置２００に転送しているときに、より高精細な画像をディスプレイ装置２００に転送する旨の使用者からの指示を受け付ける（Ｓ４０２）。当該指示を受け付けると、コントローラ１３０は、撮像画像に対して、ＨＤ画質、１ｆｐｓの動画像の生成処理を行なうよう画像処理部１２２に指示する。このように、コントローラ１３０は、より高精細な画像を転送する旨の指示を受け付けると、動画像のフレームレートを低下させる。
【００７０】
ＨＤ画質、１ｆｐｓの動画像が生成されると、デジタルビデオカメラ１００のコントローラ１３０は、生成されたＨＤ画質、１ｆｐｓの動画像をディスプレイ装置２００へ転送する（Ｓ４０３：図９（Ｂ）参照）。ディスプレイ装置２００は、デジタルビデオカメラ１００からＨＤ画質、１ｆｐｓの動画像を受信すると、液晶ディスプレイ２１５の表示を、ＶＧＡ画質、３０ｆｐｓの動画像から、ＨＤ画質、１ｆｐｓの動画像へと切り替える（Ｓ４０４：図９（Ｂ）参照）。
【００７１】
なお、ステップＳ４０１でディスプレイ装置２００へ送信される画像は、ＣＭＯＳイメージセンサ１２０で一定のフレームレートで生成された異なる画像が送信される。より高精細な画像をディスプレイ装置２００に転送するための指示が、静止画の表示指示である場合、ステップＳ４０４以後は、ディスプレイ装置２００に対して、ＨＤ画質の同じ画像（静止画）が繰り返し送信されることになる。
【００７２】
また、ＨＤ画質、１ｆｐｓの動画像へ切り替えられた後、図９（Ｃ）に示すように、使用者は、デジタルビデオカメラ１００上で、タッチパネル１７３のタッチ操作により、表示されている動画像に重ねて自由に絵を描くことができる。以下、デジタルビデオカメラ１００のこのような機能を「お絵かき」機能という。「お絵かき」機能により描かれた画像は、ＨＤ画質、１ｆｐｓの動画像に重畳されて、ディスプレイ装置２００へと転送される。ディスプレイ装置２００は、「お絵かき」機能により描かれた画像が重畳されたＨＤ画質、１ｆｐｓの動画像を、液晶ディスプレイ２１５に表示する。「お絵かき」機能を実施する場合は、使用者による描画操作の状況を更新していく必要がある。そのため、デジタルビデオカメラ１００は、ＨＤ画質、１ｆｐｓの動画を、液晶ディスプレイ２１５に転送する。「お絵かき」機能を実施しない場合は、更新の必要がないため、ＨＤ画質、１ｆｐｓの動画像ではなく、ＨＤ画質の静止画像を転送してもよい。
【００７３】
〔３．まとめ〕
以上のように、本実施形態のデジタルビデオカメラ１００は、ディスプレイ装置２００及びディスプレイ装置２００に接続した情報処理装置（例えば、パーソナルコンピュータ）のいずれかである外部機器に対して画像データを送信可能な電子機器である。デジタルビデオカメラ１００は、撮像データを生成するＣＭＯＳイメージセンサ１２０と、液晶ディスプレイ１２３と、ディスプレイ装置２００（または情報処理装置）に、生成された撮像データに基づく画像データ（動画像データ）を送信可能な通信部１７１と、液晶ディスプレイ１２３を制御するコントローラ１３０とを備える。コントローラ１３０は、ディスプレイ装置２００（または情報処理装置）へ送信した場合に、第１の遅延が発生し得る第１の画像データ（ＶＧＡ画質の動画像）を、ディスプレイ装置２００（または情報処理装置）に送信するときは、撮像データに基づく画像であって第１の画像データに対応する画像（スルー画像）を液晶ディスプレイ１２３に表示させる。一方、ディスプレイ装置２００（または情報処理装置）に送信した場合に第１の遅延よりも大きい第２の遅延（ＶＧＡ画質の動画像よりも高遅延）が発生し得るＨＤ画質の動画像をディスプレイ装置２００（または情報処理装置）に送信するときは、第２の画像データに対応する画像以外の画像（例えば、操作画面）を液晶ディスプレイ１２３に表示させる。
【００７４】
これにより、デジタルビデオカメラ１００とディスプレイ装置２００との間で時間的にずれのある画像を表示する可能性がある場合に、ディスプレイ装置２００のみに画像を表示させることができる。よって、使用者を含む鑑賞者全員の視線を、ディスプレイ装置２００に表示される同一の画像に集めることができ、使用者を含む鑑賞者が同じ画像を共用することができる。
【００７５】
また、デジタルビデオカメラ１００の液晶ディスプレイ１２３は、ＶＧＡ画質の動画像よりも高遅延が発生し得るＨＤ画質の動画像を、ディスプレイ装置２００に送信するときは、スルー画像を表示させず、操作釦画面を表示するよう液晶ディスプレイ１２３を制御する。操作釦画面を表示させることにより、ディスプレイ装置２００に表示させる動画像の制御（一時停止、３０秒振り戻しなど）を、デジタルビデオカメラ１００側にて遠隔操作できる。これにより、デジタルビデオカメラ１００の使用者はデジタルビデオカメラ１００上で動画像の表示方法を制御することができる。
【００７６】
また、デジタルビデオカメラ１００は、被写体像を撮像して撮像データを生成するＣＭＯＳイメージセンサ１２０と、生成された撮像データから、ＶＧＡ画質、３０ｆｐｓの動画像（第１の解像度であって第１のフレームレートの第１の画像）と、ＨＤ画質、１ｆｐｓの動画像（第１の解像度よりも高い解像度の第２の解像度であって、第１のフレームレートよりも低い第２のフレームレートの第２の画像）とを生成する画像処理部１２２と、より高精細な画像をディスプレイ装置２００に転送する使用者からの指示を受け付けたとき、ＶＧＡ画質、３０ｆｐｓの動画像をディスプレイ装置２００に送信した後、続けて、ＨＤ画質、１ｆｐｓの動画像をディスプレイ装置２００に送信する通信部１７１と、を備える。これにより、高精細な動画像の鑑賞が可能になる。
【００７７】
このとき、ディスプレイ装置２００は、液晶ディスプレイ２１５と、デジタルビデオカメラ１００から画像を受信可能な通信部２１１と、ＶＧＡ３０ｆｐｓの動画像を受信したとき、ＶＧＡ３０ｆｐｓの動画像を液晶ディスプレイ２１５に表示させた後、続けて、ＨＤ１ｆｐｓの動画像を受信したとき、液晶ディスプレイ２１５への表示をＶＧＡ画質、３０ｆｐｓの動画像からＨＤ画質、１ｆｐｓの動画像へと切り替えるコントローラ２１２と、を備える。これにより、高精細な動画像の鑑賞が可能になる。
【００７８】
なお、上記では、より高精細な画像をディスプレイ装置２００に転送する旨の使用者からの指示を受け付けたとき、デジタルビデオカメラ１００の液晶ディスプレイ１２３の表示をＶＧＡ画質、３０ｆｐｓの動画像からＨＤ画質、１ｆｐｓの動画像へ切り替える場合を説明した。ＨＤ画質、１ｆｐｓの動画像を表示しているときに、ＨＤ画質、１ｆｐｓの動画像からＶＧＡ画質、３０ｆｐｓの動画像へ切り替えるようにしてもよい。これにより、高精細な動画像の鑑賞から、別の被写体の鑑賞へと容易に切り替えることができる。
【００７９】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００８０】
（１）デジタルビデオカメラ１００において動画像の送信開始指示（ライブ配信指示）がなされたときに、ディスプレイ装置２００において、動画像を表示するための画面が自動で起動されるようにしてもよい。
【００８１】
例えば、デジタルビデオカメラ１００のボタン１５３に対して動画像の送信開始（ライブ配信指示）の機能を割り当てる。そして、デジタルビデオカメラ１００の使用者によりこのボタン１５３が押下されたときに、デジタルビデオカメラ１００は、動画像の送信の開始を示す開始コマンドをディスプレイ装置２００に送信し、その後、動画像を送信する。ディスプレイ装置２００は、この開始コマンドを受信すると、デジタルビデオカメラ１００からの転送画像を表示するためのウィンドウ画面をポップアップ表示させる。そして、ディスプレイ装置２００は、ウィンドウ画面に、デジタルビデオカメラ１００から開始コマンドに続いて受信した動画像をリアルタイムに表示する。
【００８２】
その後、使用者によりデジタルビデオカメラ１００のボタン１５３が再度押下されると、デジタルビデオカメラ１００は、ディスプレイ装置２００への動画像の送信を停止するとともに、ディスプレイ装置２００に対して送信停止を示す停止コマンドを送信する。ディスプレイ装置２００は、停止コマンドを受信すると、デジタルビデオカメラ１００から転送される動画像を表示するためのウィンドウ画面を最小化または閉じる。
【００８３】
なお、ライブ配信指示がなされたときに、デジタルビデオカメラ１００から送信している動画像の表示画面を自動で起動させる方法は、上記のウィンドウ画面のポップアップ表示の実施例の他にも、次に示す第１の変化例および第２の変化例のように、種々の変化例が考えられる。
【００８４】
第１の変化例では、ディスプレイ装置２００において、メイン画面に対してサブ画面をＰｉｎＰ（Ｐｉｃｔｕｒｅ ｉｎ Ｐｉｃｔｕｒｅ）表示させている場合を想定する。そして、デジタルビデオカメラ１００から送信されている動画像は、ディスプレイ装置２００のサブ画面に表示されているとする。このとき、デジタルビデオカメラ１００の使用者によりライブ配信指示の機能が割り当てられたボタン１５３が押下されたときに、デジタルビデオカメラ１００は、画面の切り替えを示すコマンドをディスプレイ装置２００に送信する。ディスプレイ装置２００は、この画面の切り替えを示すコマンドを受信すると、デジタルビデオカメラ１００からの転送画像を表示する画面を、サブ画面からメイン画面へと切り替える。このとき、コマンド受信前にメイン画面に表示されていた動画像を表示する画面は、メイン画面からサブ画面へと切り替えられる。すなわち、メイン画面に表示させる動画像と、サブ画面に表示させる動画像とを入れ替える。
【００８５】
その後、使用者によりデジタルビデオカメラ１００のボタン１５３が再度押下されると、デジタルビデオカメラ１００は、ディスプレイ装置２００に対して、画面の切り替えを示すコマンドを送信する。ディスプレイ装置２００は、コマンドを受信すると、デジタルビデオカメラ１００からの転送画像を表示する画面を、メイン画面からサブ画面へと切り替える。
【００８６】
第２の変化例では、ディスプレイ装置２００に表示させる動画像の映像入力チャンネルを選択させる場合を想定する。ディスプレイ装置２００は、選択された映像入力チャンネルから供給される動画像を表示することができる。このとき、例えば、ディスプレイ装置２００にＨＤＭＩ接続されたＤＶＤレコーダーからの動画像を入力する第１の映像入力チャンネル、デジタルビデオカメラ１００から受信した動画像を入力する第２の映像入力チャンネルを有するとする。そして、ディスプレイ装置２００には、第１の映像入力チャンネルから入力された動画像が表示されているとする。このとき、デジタルビデオカメラ１００の使用者によりライブ配信指示の機能が割り当てられたボタン１５３が押下されたときに、デジタルビデオカメラ１００は、映像入力チャンネルの切り替えを示すコマンドをディスプレイ装置２００に送信する。ディスプレイ装置２００は、この映像入力チャンネルの切り替えを示すコマンドを受信すると、映像出力チャンネルを、第１の映像入力チャンネルから第２の映像入力チャンネルへと切り替える。すなわち、ディスプレイ装置２００は、ＤＶＤレコーダーから出力される動画像から、デジタルビデオカメラ１００から転送された動画像へと、表示内容を切り替える。
【００８７】
その後、使用者によりデジタルビデオカメラ１００のボタン１５３が再度押下されると、デジタルビデオカメラ１００は、ディスプレイ装置２００に対して、映像入力チャンネルの切り替えを示すコマンドを送信する。ディスプレイ装置２００は、コマンドを受信すると、映像入力チャンネルを、第２の映像出力チャンネルから第１の映像入力チャンネルへと切り替える。
【００８８】
以上の構成により、デジタルビデオカメラ１００の使用者（例えば、先生）は、手元のデジタルビデオカメラ１００からの指示で、所望のタイミングで（例えば、生徒を画像に注目させたいタイミングで）、ディスプレイ装置２００において画像表示させる操作を簡単に行うことができる。なお、デジタルビデオカメラ１００がパーソナルコンピュータのような情報処理装置（中継機器）を介して画像データをディスプレイ装置２００に送信する場合、情報処理装置が、動画像を表示するためのウィンドウ画面を表示するためのアプリケーションを備えており、そのアプリケーションが上記の機能を実現すればよい。
【００８９】
（２）デジタルビデオカメラ１００において、撮像した画像の上下を反転（１８０度回転）させて転送する反転モードを設けても良い。この反転モードでは、ＣＭＯＳイメージセンサ１２０で撮像された画像の上下を反転させた画像をディスプレイ装置２００に送信する。反転モードでは、デジタルビデオカメラ１００の液晶ディスプレイ１２３に表示される画像は、撮像した画像をそのまま表示させる。
【００９０】
例えば、図１０（Ａ）に示すように、液晶ディスプレイ１２３に表示されたボタン１５７に、反転モードへの切り替え機能を割り当てても良い。通常は、図１０（Ａ）に示すように、ＣＭＯＳイメージセンサ１２０で撮像された画像がデジタルビデオカメラ１００からディスプレイ装置２００に転送され、ディスプレイ装置２００に表示されている。この状態で、ボタン１５７が押下されると、コントローラ１３０は、ＣＭＯＳイメージセンサ１２０で撮像され、画像処理部１２２で処理された画像の上下を反転させる処理を行う。そして、コントローラ１３０は、この反転した画像のデータを、通信部１７１を介してディスプレイ装置２００に送信する。これにより、図１０（Ｂ）に示すように、ディスプレイ装置２００に、ＣＭＯＳイメージセンサ１２０で撮像された画像の上下を反転させた画像が表示される。さらに、この状態で再度ボタン１５７が押下されると、反転モードが解消され、図１０（Ａ）に示すように画像が表示される。
【００９１】
このような反転モードにより、例えば、先生（デジタルビデオカメラ１００の使用者）は、対面に座っている生徒の資料（メモ、ノート、テキスト等）を、生徒側からの視点の映像として配信することが可能となる。なお、反転モードにおいて、デジタルビデオカメラ１００の液晶ディスプレイ１２３に表示されるスルー画像は、上下を反転させていない、撮像した画像をそのまま表示させる。これにより、デジタルビデオカメラ１００の使用者は、手元の液晶ディスプレイ１２３を見ながら撮像範囲を変更する際に、デジタルビデオカメラ１００を上下左右のいずれに移動すればよいかを間違えることなく、操作することができる。
【００９２】
（３）デジタルビデオカメラ１００は、メモリカード１４０に格納されている画像データを消去するための消去ボタンを備えてもよく、さらに、この消去ボタンの表示のＯＮ／ＯＦＦを設定する機能を備えても良い。図１１は、メモリカード１４０に格納されている画像を消去する際に表示される画像一覧画面を示した図である。画像一覧画面１２５には、メモリカード１４０に格納されている画像に対応して複数のサムネイル画像が表示されている。画像一覧画面１２５には、サムネイル画像ととともに、消去ボタン１５９を含む複数の操作ボタンが表示されている。この画像一覧画面１２５上で、使用者によりサムネイル画像が選択され、消去ボタン１５９が押下されると、選択されたサムネイル画像に対応する画像が消去される。
【００９３】
図１２は、この消去ボタン１５９の表示のＯＮ／ＯＦＦを設定するセットアップメニューを示した図である。セットアップメニュー１２７は、日時表示、パワーセーブ等、デジタルビデオカメラ１００の種々の機能を設定するためのメニューである。このセットアップメニュー１２７により、消去ボタン１５９の表示のＯＮ／ＯＦＦを設定することができる。消去ボタン１５９の表示をＯＦＦに設定することにより、例えば、生徒が、誤ってまたは悪戯をして画像を削除してしまうということを防止できる。なお、画像一覧画面１２５およびセットアップメニュー１２７は、デジタルビデオカメラ１００において所定の操作を行うことにより表示される。
【００９４】
以上のように、本開示における技術の例示として、実施の形態を説明した。そのために、添付図面および詳細な説明を提供した。
【００９５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９６】
また、上述の実施の形態は、本開示における技術を例示するためのものであるから、特許請求の範囲またはその均等の範囲において種々の変更、置き換え、付加、省略などを行うことができる。
【００９７】
＜付記＞
上記の実施形態においては、以下の電子機器についての技術思想も開示している。
【００９８】
（Ａ−１）撮像している画像又は記録媒体から再生した画像に関する画像データを外部表示装置又は外部表示装置に接続する情報処理装置に送信可能な電子機器であって、
使用者からの画像データの送信に関する指示を受け付ける操作部と、
前記外部表示装置または前記情報処理装置に対して画像データを送信する通信部と、
前記通信部を制御する制御部と、を備え、
前記制御部は、
前記操作部が前記使用者からの第１の操作を受け付けたときに、画像データの送信を開始するよう前記通信部を制御するとともに、前記外部表示装置において、前記電子機器から受信した画像データを表示するための表示画面を表示させ、
その後に、前記操作部が前記使用者からの第２の操作を受け付けたときに、前記画像データの前記外部表示装置または前記情報処理装置への送信を停止するよう前記通信部を制御するとともに、前記表示画面の表示を最小化または消去する、電子機器。
【００９９】
（Ａ−２）撮像している画像又は記録媒体から再生した画像に関する画像データを外部表示装置又は外部表示装置に接続する情報処理装置に送信可能な電子機器であって、
使用者からの画像データの送信に関する指示を受け付ける操作部と、
前記外部表示装置または前記情報処理装置に対して画像データを送信する通信部と、
前記通信部を制御する制御部と、を備え、
前記制御部は、
前記操作部が前記使用者からの第１の操作を受け付けたときに、前記外部表示装置において、前記電子機器から受信した画像データを表示するための画面を、第１の画面から第２の画面へと切り替えさせる、電子機器。
【０１００】
（Ａ−３）撮像している画像又は記録媒体から再生した画像に関する画像データを外部表示装置又は外部表示装置に接続する情報処理装置に送信可能な電子機器であって、
使用者からの画像データの送信に関する指示を受け付ける操作部と、
前記外部表示装置または前記情報処理装置に対して画像データを送信する通信部と、
前記通信部を制御する制御部と、を備え、
前記制御部は、
前記操作部が前記使用者からの第１の操作を受け付けたときに、前記外部表示装置において、他の機器から受信した画像データを表示するための第１のチャンネルから、前記電子機器から受信した画像データを表示するための第２のチャンネルへと、映像出力チャンネルを切り替えさせる、電子機器。
【０１０１】
（Ｂ）画像データを外部表示装置又は外部表示装置に接続する情報処理装置に送信可能な電子機器であって、
画像を撮像して画像データを生成する撮像部と、
使用者からの、画像の上下を反転させる反転指示を受け付ける操作部と、
前記外部表示装置又は前記情報処理装置に対して画像データを送信する通信部と、
前記通信部を制御する制御部と、を備え、
前記制御部は、前記操作部が前記使用者から前記反転指示を受け付けると、前記撮像部により撮像された画像の上下を反転させた画像を示す画像データを生成し、前記生成した画像データを前記外部表示装置又は前記情報処理装置に対して前記通信部を介して送信する、電子機器。
【０１０２】
電子機器はさらに表示部を備えても良い。このとき、制御部は、撮像部により撮像された画像の上下を反転させた画像を示す画像データを外部表示装置に対して送信する場合、表示部において、撮像部により撮像された画像を、その上下を反転させずにそのまま表示させてもよい。
【０１０３】
（Ｃ）画像データを、外部表示装置又は外部表示装置に接続する情報処理装置に送信可能な電子機器であって、
画像を撮像して画像データを生成する撮像部と、
前記画像データを前記記録媒体に記録する記録部と、
使用者からの、前記記録媒体に記録された画像データの消去の指示を受け付けるための消去ボタンを表示する表示部と、
前記表示部を制御する制御部と、を備え、
前記制御部は、前記消去ボタンを前記表示部上に表示させるか否かを設定するための設定画面を前記表示部に表示させる
電子機器。
【産業上の利用可能性】
【０１０４】
本開示は、デジタルビデオカメラやディスプレイ装置への実施に限定されない。すなわち、本開示の思想は、ムービーカメラやスマートフォン等、通信部を備えた通信機器に適用可能である。
【符号の説明】
【０１０５】
１００…デジタルビデオカメラ
１２３…液晶ディスプレイ
１３０…コントローラ
１４０…メモリカード
１４２…フラッシュメモリ
１５０…操作部
１７１…通信部
２００…ディスプレイ装置
２１１…通信部
２１２…コントローラ
２１４…ＨＤＤ
２１５…液晶ディスプレイ
２１６…操作部
【図１】
2014064270.tif 000003
【図２】
2014064270.tif 000004
【図３】
2014064270.tif 000005
【図４】
2014064270.tif 000006
【図５】
2014064270.tif 000007
【図８】
2014064270.tif 000008
【図１２】
2014064270.tif 000009
【図６】
2014064270.tif 000010
【図７】
2014064270.tif 000011
【図９】
2014064270.tif 000012
【図１０】
2014064270.tif 000013
【図１１】
2014064270.tif 000014